【手続補正書】
【提出日】平成19年11月14日(2007.11.14)
【手続補正１】
【補正対象書類名】明細書
【補正対象項目名】特許請求の範囲
【補正方法】変更
【補正の内容】
【特許請求の範囲】
【請求項１】  通信回線を介して広告用ＷＷＷページを利用者端末に閲覧可能とするＷＷＷサーバーによる広告方法において、前記ＷＷＷサーバーが、
商店に設けられたＰＯＳ端末と通信接続を行い、当該ＰＯＳ端末から販売情報を受信する工程と、
前記受信された販売情報に基づいて、前記広告用ＷＷＷページの表示内容を変更する工程と、
を実行することを特徴とする広告方法。
【請求項２】  前記販売情報を受信する工程は、前記受信した販売情報を商品毎に計算する工程を含み、
前記ＷＷＷページの表示内容を変更する工程は、
前記計算した販売情報に基づいて前記広告用ＷＷＷページの表示内容を変更することを特徴とする請求項１に記載の広告方法。
【請求項３】  前記広告用ＷＷＷページは、商品の入手可能個数を含み、
前記ＷＷＷページの表示内容を変更する工程は、
前記計算した販売情報に基づいて前記入手可能個数の表示を変更することを特徴とする請求項２に記載の広告方法。
【請求項４】  前記広告用ＷＷＷページは、商品に関連付けられたメッセージを含み、
前記ＷＷＷページの表示内容を変更する工程は、
前記販売情報に基づいて前記メッセージの表示を変更することを特徴とする請求項１乃至３の何れかに記載の広告方法。
【請求項５】  通信回線を介して広告用ＷＷＷページを利用者端末に閲覧可能とするＷＷＷサーバーにおいて、
各商店に設けられたＰＯＳ端末と通信接続を行い、当該ＰＯＳ端末から販売情報を受信するＰＯＳ端末管理部と、
前記ＰＯＳ端末管理部により受信された販売情報に基づいて、前記広告用ＷＷＷページの表示内容を変更するＷＷＷページ管理部と、
を備えることを特徴とするＷＷＷサーバー。
【請求項６】  前記ＰＯＳ端末管理部は、前記受信した販売情報を商品毎に計算し、
前記ＷＷＷページ管理部は、
前記計算した販売情報に基づいて前記広告用ＷＷＷページの表示内容を変更することを特徴とする請求項５に記載のＷＷＷサーバー。
【請求項７】  前記広告用ＷＷＷページは、商品の入手可能個数を含み、
前記ＷＷＷページ管理部は、
前記計算した販売情報に基づいて前記入手可能個数の表示を変更することを特徴とする請求項６に記載のＷＷＷサーバー。
【請求項８】  前記広告用ＷＷＷページは、商品に関連付けられたメッセージを含み、
前記ＷＷＷページ管理部は、
前記販売情報に基づいて前記メッセージの表示を変更することを特徴とする請求項５乃至７の何れかに記載のＷＷＷサーバー。
【手続補正２】
【補正対象書類名】明細書
【補正対象項目名】０００１
【補正方法】変更
【補正の内容】
【０００１】
【発明の属する技術分野】
本発明は、ＰＯＳ端末からの情報に基づいた広告方法、及び、広告用ＷＷＷサーバーに関する。
【手続補正３】
【補正対象書類名】明細書
【補正対象項目名】０００５
【補正方法】変更
【補正の内容】
【０００５】
【課題を解決するための手段】
上記の目的を達成するため、本発明は、通信回線を介して広告用ＷＷＷページを利用者端末に閲覧可能とするＷＷＷサーバーによる広告方法において、前記ＷＷＷサーバーが、商店に設けられたＰＯＳ端末と通信接続を行い、当該ＰＯＳ端末から販売情報を受信する工程と、前記受信された販売情報に基づいて、前記広告用ＷＷＷページの表示内容を変更する工程と、を実行することを特徴とする。
【手続補正４】
【補正対象書類名】明細書
【補正対象項目名】０００６
【補正方法】変更
【補正の内容】
【０００６】
また、本発明において、前記販売情報を受信する工程は、前記受信した販売情報を商品毎に計算する工程を含み、前記ＷＷＷページの表示内容を変更する工程は、前記計算した販売情報に基づいて前記広告用ＷＷＷページの表示内容を変更することとしてもよい。
【手続補正５】
【補正対象書類名】明細書
【補正対象項目名】０００７
【補正方法】変更
【補正の内容】
【０００７】
この場合、前記広告用ＷＷＷページは、商品の入手可能個数を含み、前記ＷＷＷページの表示内容を変更する工程は、前記計算した販売情報に基づいて前記入手可能個数の表示を変更することとしてもよい。
【手続補正６】
【補正対象書類名】明細書
【補正対象項目名】０００８
【補正方法】変更
【補正の内容】
【０００８】
また、本発明において、前記広告用ＷＷＷページは、商品に関連付けられたメッセージを含み、前記ＷＷＷページの表示内容を変更する工程は、前記販売情報に基づいて前記メッセージの表示を変更することとしてもよい。
【手続補正７】
【補正対象書類名】明細書
【補正対象項目名】０００９
【補正方法】変更
【補正の内容】
【０００９】
また、前記目的を達成するための本発明は、通信回線を介して広告用ＷＷＷページを利用者端末に閲覧可能とするＷＷＷサーバーにおいて、各商店に設けられたＰＯＳ端末と通信接続を行い、当該ＰＯＳ端末から販売情報を受信するＰＯＳ端末管理部と、前記ＰＯＳ端末管理部により受信された販売情報に基づいて、前記広告用ＷＷＷページの表示内容を変更するＷＷＷページ管理部と、を備えることを特徴とする。
【手続補正８】
【補正対象書類名】明細書
【補正対象項目名】００１０
【補正方法】変更
【補正の内容】
【００１０】
また、本発明において、前記ＰＯＳ端末管理部は、前記受信した販売情報を商品毎に計算し、前記ＷＷＷページ管理部は、前記計算した販売情報に基づいて前記広告用ＷＷＷページの表示内容を変更することとしてもよい。
【手続補正９】
【補正対象書類名】明細書
【補正対象項目名】００１１
【補正方法】変更
【補正の内容】
【００１１】
また、前記広告用ＷＷＷページは、商品の入手可能個数を含み、前記ＷＷＷページ管理部は、前記計算した販売情報に基づいて前記入手可能個数の表示を変更することとしてもよい。
さらに、前記広告用ＷＷＷページは、商品に関連付けられたメッセージを含み、前記ＷＷＷページ管理部は、前記販売情報に基づいて前記メッセージの表示を変更することとしてもよい。
【手続補正１０】
【補正対象書類名】明細書
【補正対象項目名】００３６
【補正方法】変更
【補正の内容】
【００３６】
【発明の効果】
本発明によれば、広告用ＷＷＷページを用いて効果的に広告を行うことが可能な広告方法を実現することができる。
また、広告用ＷＷＷページに含まれる商品の入手可能個数の表示を販売情報に基づいて変更することにより、ＷＷＷページを閲覧した者は、現時点での商品の入手可能個数を的確に知ることができるので、商品を買いに出かけたものの該商品が売り切れていた等の問題の発生を防止でき、また、商店にとっても、電話による商品の入手可能個数に関する問い合わせ等が減少する。したがって、ＷＷＷページを用いて効果的に広告を行うことが可能な広告方法を実現することができる。
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】